(57)【特許請求の範囲】
【請求項１】
熱交換器、送風機を有したユニット本体を天井内に埋設、若しくは天井から吊下げ、前記ユニット本体の下部に吸い込みグリル及び該吸い込みグリルに着脱自在とされたフィルタとを有した化粧パネルを備えた天井埋込型空気調和機において、
それぞれ一端が前記化粧パネルに固定され前記吸い込みグリルを介して前記吸い込みグリルを昇降自在に支持した２本のワイヤと、
前記化粧パネルに設けられ前記各ワイヤをそれぞれ巻取り又は繰り出すことにより前記吸い込みグリルを昇降する２つの回転ドラムと、
前記各回転ドラムをそれぞれ正逆回転駆動する２つのモータと、
前記各モータの駆動及び停止を行うリモコンと
を備えたことを特徴とする天井埋込型空気調和機。
【請求項２】
熱交換器、送風機を有したユニット本体を天井内に埋設、若しくは天井から吊下げ、前記ユニット本体の下部に吸い込みグリルとを有した化粧パネルを備えた天井埋込型空気調和機において、
正逆回転駆動される２つの回転ドラムと、
それぞれ一端が前記回転ドラムに巻着され他端は前記吸い込みグリルの４隅のうち対辺となる一方側の２個所でガイドされて前記化粧パネルに固定され前記吸い込みグリルを昇降自在に支持する２本のワイヤと、
前記吸い込みグリルに着脱自在として装着されたフィルタと
を備えたことを特徴とする天井埋込型空気調和機。
【請求項３】
請求項１又は２に記載のいずれかのものにおいて前記熱交換器を流通する冷媒を非共沸混合冷媒としたことを特徴とする天井埋込型空気調和機。
【発明の詳細な説明】
【０００１】
【発明の属する技術分野】
本発明は、室内の冷房又は暖房を行い、室内のユニット本体を天井裏に埋設した天井埋込型空気調和機、又は天井から吊り下げる天吊り型空気調和機に関し、特に室内に吹き出される冷風又は温風が通過するフイルタあるいは吸い込みグリルを清掃、点検、又は交換するものに好適である。
【０００２】
【従来の技術】
ユニット本体の下部に化粧パネルを装着する天井埋込型空気調和機において、回転ドラムを設け、この回転ドラムに一端が巻着されたワイヤの他端を吸い込みグリルに連結し、吸い込みグリルを昇降自在に支持し、モータの駆動により吸い込みグリル及び吸い込みグリルに支持されたフィルタを昇降することが知られ、例えば、その一例として、実開平１−１３１９１３号公報に記載されている。
【０００３】
また、吸い込みグリルが化粧パネルに収納されているときモータをＯＮさせ、回転ドラムに巻き付けられていたワイヤを繰り出し、吸い込みグリルを下降し、つぎにリモートコントローラ等を操作してモータの駆動を停止させ、フィルタを取り外して洗浄することが同公報に記載のように知られている。
【０００４】
さらに、フィルタの洗浄後は回転ドラムにワイヤを巻き取り、吸い込みグリルを上昇させ、化粧パネルに取り付けられたマイクロスイッチ等の検出器にて吸い込みグリルが化粧パネルに収納されたときモータの駆動を自動停止することが同様に同公報に記載され、知られている。
【０００５】
【発明が解決しようとする課題】
上記従来技術においては、ワイヤを吸い込みグリルに連結しなければならないため、吸い込みグリルを床面に対して水平を保つことが困難である。そのため、例えば吸い込みグリルの円滑な下降を行うためにはより一層の改善が望まれ、例えば吸い込みグリルの４隅角部をそれぞれ独立してワイヤと連結するなど構造が複雑化し、部品点数の増加になる恐れがある。
また、現在廃棄物の処理が大きな社会問題となっているが、ワイヤが吸い込みグリルに連結されているため、いわゆるリサイクル性を考慮した構造とは言い難い。
【０００６】
さらに、非共沸混合冷媒、特にＲ４０７Ｃ冷媒を用いた場合、同じ温度条件での圧力は高くなり、従来と同条件の運転を行なう場合、従来に比べ高い圧力での運転となる。よって、吸込みグリルの目づまりに起因して、一層、運転圧力が上昇し、冷房・暖房能力の低下、信頼性、圧縮機寿命が低下する恐れがある。
【０００７】
本発明の目的は、上記課題を解決し、部品点数を低減し、材質ごとの分解等を容易にし、省エネルギ等の環境にも適した天井埋込型空気調和機を提供することにある。
また、本発明の目的は、メンテナンスをし易く、衛生面でも有利とし、更新する場合にも美観を保持できる天井埋込型空気調和機を提供することにある。
【０００８】
さらに、本発明の目的は、非共沸混合冷媒、特にＲ４０７Ｃ冷媒を用いた場合でも高圧力での運転とならない天井埋込型空気調和機を提供することにある。
なお、本発明は上記課題の少なくとも１つを解決するものである。
【０００９】
【課題を解決するための手段】
上記課題を解決するため、本発明は、熱交換器、送風機を有したユニット本体を天井内に埋設、若しくは天井から吊下げ、前記ユニット本体の下部に吸い込みグリル及び該吸い込みグリルに着脱自在とされたフィルタとを有した化粧パネルを備えた天井埋込型空気調和機において、それぞれ一端が前記化粧パネルに固定され前記吸い込みグリルを介して前記吸い込みグリルを昇降自在に支持した２本のワイヤと、前記化粧パネルに設けられ前記各ワイヤをそれぞれ巻取り又は繰り出すことにより前記吸い込みグリルを昇降する２つの回転ドラムと、前記各回転ドラムをそれぞれ正逆回転駆動する２つのモータと、前記各モータの駆動及び停止を行うリモコンとを備えたものである。
【００１０】
２本のワイヤで吸い込みグリルを昇降自在に支持し、各ワイヤを２つのモータでそれぞれ正逆回転駆動される２つの回転ドラムでそれぞれ巻取り又は繰り出すので、昇降に要する動力が低減され、吸い込みグリルの昇降動作は一層円滑になり、昇降装置の小型化、軽量化を図ることができる。
【００１１】
また、２つのモータは、リモコンでその駆動及び停止が行われるので、吸い込みグリル及びフィルタの頻繁な清掃（洗浄）が可能となる。よって、非共沸混合冷媒を使用しても吸い込みグリル及びフィルタの頻繁な清掃（洗浄）が可能で、その目づまりに起因して運転圧力が著しく上昇することがなく、冷房、暖房能力の低下、信頼性、圧縮機寿命が低下する恐れがない。
【００１２】
また、本発明は、熱交換器、送風機を有したユニット本体を天井内に埋設、若しくは天井から吊下げ、前記ユニット本体の下部に吸い込みグリルとを有した化粧パネルを備えた天井埋込型空気調和機において、正逆回転駆動される２つの回転ドラムと、それぞれ一端が前記回転ドラムに巻着され他端は前記吸い込みグリルの４隅のうち対辺となる一方側の２個所でガイドされて前記化粧パネルに固定され前記吸い込みグリルを昇降自在に支持する２本のワイヤと、前記吸い込みグリルに着脱自在として装着されたフィルタとを備えたものである。
【００１３】
正逆回転駆動される回転ドラムを２つとし、２本のワイヤのそれぞれ一端を回転ドラムに巻着し、各他端は吸い込みグリルの４隅のうち対辺となる一方側の２個所でガイドされて吸い込みグリルを昇降自在に支持するので、吸い込みグリルが水平に昇降し、円滑な昇降をできる。
さらに、上記のものにおいて、熱交換器を流通する冷媒を非共沸混合冷媒とされたことが望ましい。
【００１４】
【発明の実施の形態】
以下、本発明の一実施の形態を図１ないし図６を参照して説明する。図１は、一実施の形態による天井埋込型空気調和機の吸い込みグリルが下降した状態を示す側断面図、図２は、同じく吸い込みグリルの昇降機構の主要部を示す斜視図、図３は、同じく側断面図、図４はガイドローラ部を示す斜視図、図５は他の実施の形態によるガイドローラ部の部分断面図、図６は、同じくガイドローラ部の部分平面図である。
【００１５】
図１において、２は天井埋込型空気調和機の室内ユニットであるユニット本体を示し、室内の天井１の裏に埋設される。ユニット本体２の内部には、熱交換器３、ドレパン４、送風機５、ファンモータ６が配置され、その下部には開口部を覆うように化粧パネル７が着脱自在に装着されている。
【００１６】
化粧パネル７の中央部には吸い込み口８が形成され、吸い込み口８の両側２方向あるいは周辺４方向には吹き出し口９が設けられている。吸い込み口８には吸い込みグリル１０が嵌合され（吸い込みグリルが上昇している状態。図１は吸い込みグリルが下降している状態を示す）、その上部にはフイルタ１１が吸い込みグリル１０に着脱自在となるように装着されている。
【００１７】
この空気調和機で冷房運転を行う場合は、図示しない冷凍サイクルを作動させて冷媒配管（図示せず）を通して非共沸混合冷媒、望ましくはＲ４０７Ｃを熱交換器３に流通させる。そして、室内空気はファンモータ６で駆動される送風機５により吸い込み口８から吸い込まれ、フイルタ１１で清浄化された後、熱交換器３に送られ、熱交換されて冷却され、冷却風として吹き出し口９から室内に吹き出され、室内を冷房する。暖房運転の場合も同様であるので説明を省略する。
【００１８】
ここで、熱交換器を流通する冷媒を非共沸混合冷媒、例えばＲ４０７Ｃ冷媒とし、フイルタ１１の頻繁な清掃（洗浄）を行うことを可能としているので、空気調和機として性能を安定、例えば運転圧力の上昇を防ぎ、空調性能を向上することができる。そして、吸い込みグリル１０の昇降機構にて吸い込みグリルの下降を可能にして交換、メンテナンスも含めて簡単かつ容易にすることで冷房・暖房能力、信頼性、圧縮機寿命を確保することができる。
【００１９】
つぎに、吸い込みグリルの昇降機構について説明する。
図２、３において、吸い込みグリル１０の４角隅部にはそれぞれガイドローラ２０が取付けられている。２本のワイヤ１３は、それぞれの一端がガイドローラ２０を介してモータ２１で駆動される回転ドラム１２に巻着され、他端が化粧パネル７に固定され、吸い込みグリル１０を昇降自在に支持している。
【００２０】
各回転ドラム１２は図示しない制御部にて駆動制御される可逆回転可能なモータ２１により駆動され、この駆動によりワイヤ１３が回転ドラム１２から巻き出されたり、巻き取られ吸い込みグリル１０が昇降される。通常は、吸い込みグリル１０は化粧パネル７に収納される。
【００２１】
フィルタ１１および吸い込みグリル１０を洗浄する場合、吸い込みグリル１０が化粧パネル７に収納されているときモータ２１を駆動する。そして、２台のモータ２１を逆回転することにより各回転ドラム１２からそれぞれワイヤ１３が巻き出され繰り出されることになるので、吸い込みグリル１０は下降し、吊り下げられる。
【００２２】
吸い込みグリル１０が所定の位置まで降りてきたとき、リモコン（図示せず）等を操作してモータ２１の駆動を停止させる。このとき、ビルなどの同一室内に複数の室内機がある場合などは、１つのリモコンで複数台の室内機の吸い込みグリル１０をほぼ同時に下降させるようにすることが望ましい。
吸い込みグリル１０が下降した後は、フイルタ１１を取り外して清掃あるいは洗浄することができる。
【００２３】
フイルタ１１の洗浄後、フイルタ１１を再び吸い込みグリル１０に設置し、再度リモコン等を操作してモータ２１を駆動させれば、回転ドラム１２にワイヤ１３が巻き取られ、吸い込みグリル１０は上昇する。
なお、化粧パネル７にマイクロスイッチ２３等の検出器を取り付けてあるので、吸い込みグリル１０が化粧パネル７の吸い込み口８に収納されたときモータ２１の駆動を自動停止することができる。
【００２４】
ここで、ワイヤ１３はその一端が吸い込みグリル１０に連結されていないので、吸い込みグリル１０の４隅部を支持する必要もなく、ワイヤ１３の本数をふやしたり、回転ドラム１２及びこれを動かすためのモータ２１を４つに増やす、あるいはモータ２１の出力を大きくする必要がなく、構造を簡単にできる。
また、ワイヤ１３はガイドローラ２０を介して化粧パネル７に固定部２４にて固定されているので、吸い込みグリル１０が下降するときの姿勢はワイヤ１３の長さに依存しない。
【００２５】
さらに、吸い込みグリル１０そのものの着脱も可能であるので、例えば、飲食店等で使用され吸い込みグリル１０自体の油汚れがひどく洗浄を頻繁に行なう必要のある場合、非共沸混合冷媒を用いて性能を安定にする場合においても有利である。
さらに、吸い込みグリル１０を交換できるので、吸い込みグリル１０自体の取付け部位に損傷が起きた場合、美観保持、衛生面等を考慮しても望ましい。
さらに、回転ドラム１２、モータ２１、ワイヤ１３の固定部２４を化粧パネル７に設けているので、昇降機構の主要部が化粧パネル７にあることになり、昇降装置の故障等のメンテナンス、交換を容易にすることができる。
【００２６】
つぎに、吸い込みグリル１０を取り外す場合を図４を参照して説明する。
ワイヤ１３の取り外しは、ガイドローラ２０を回転可能に支持しているローラ支持部２０４の一部にばね状にされたワイヤ取り外し口２０２を設け、そこからワイヤ１３を下方に引抜くことにより行う。
以後、同じ手順で吸い込みグリル１０の４隅部に取付けられたガイドローラ２０からワイヤ１３を取り外すことによって、吸い込みグリル１０を取り外すことが可能となる。
【００２７】
次に吸い込みグリル１０を取り付ける場合は、まずワイヤ挿入口２０３にワイヤ１３を通し、ワイヤ１３を上方へ引くことにより、ワイヤ１３はガイドローラ２０により支持されることとなる。ガイドローラ２０と、このガイドローラ２０を支えるローラ支持部２０４の隙間はワイヤ１３の太さより狭くしているので、この隙間にワイヤ１３が入り込むことはない。
【００２８】
ガイドローラ２０の中央部にはワイヤ１３を支持するためのガイド溝２０１が設けられており、吸い込みグリル１０が昇降動作中及び静止状態ではワイヤ１３は吸い込みグリル１０の自重によりガイドローラ２０の中央で支持され落下の恐れはない。また万一、ガイドローラ２０よりワイヤ１３が外れた場合でも、吸い込みグリル１０に取付けられたローラ支持部２０４によって支持される。
【００２９】
吸い込みグリル１０はガイドローラ２０により自重でバランスをとり、床面に対して水平を保ったまま化粧パネル７に収納される。
【００３０】
つぎに、吸い込みグリル１０の取り外し構造の他の実施の形態を図５、６を参照して説明する。
吸い込みグリル１０は、図示の如くに段差のついた開口部１０１を有し、吸い込みグリル１０を取り付ける場合には、まずガイドローラ２０を支持するガイドステー２３を開口部１０１より、通常状態から水平に９０度回転させた状態で挿入する。開口部１０１より挿入されたガイドステー２３は、ワイヤ１３の張力によって水平にほぼ９０度だけ逆回転し、吸い込みグリル１０の自重により開口部１０２へ装着される。これにより、ガイドステー２３は吸い込みグリル１０で支持されることとなる。
吸い込みグリル１０を取り外す場合には、開口部１０２に収納されたガイドステー２３を下方へ引き抜き、水平に９０度回転させ、開口部１０１へガイドステー２３を挿入する。
【００３１】
さらに、開口部１０１が吸い込みグリル１０を貫通した構造であるため、モータ２１の故障等で昇降機能が作用せず吸い込みグリル１０が開閉できない場合においても、この吸い込みグリル１０表面より開口部１０２に収納されたガイドステ−２３を開口部１０１より引き抜き、吸い込みグリル１０の開閉が可能である。
【００３２】
以上により、回転ドラム２１を巻取る際に必要となるモータ２１のトルクを小さくしてモータの小型・軽量化が可能となり、騒音、省エネルギー、安全の点からも有利となる。
【００３３】
また、吸い込みグリル１０に取り付けられたガイドローラ２０を滑らかな滑車とすることで、吸い込みグリル１０の自重によりバランスをとり、床面に対して水平を保つため、姿勢制御をするため特別な装置および制御を必要としない。
さらに、ワイヤ１３の固定端は昇降動作を行なう可動部でなく、化粧パネル７に持つことで破損確率の低減ができ、安全面からみても望ましい構造である。
【００３４】
【発明の効果】
本発明によれば、昇降に要する動力が低減され、吸い込みグリルの昇降動作を一層円滑にし、昇降装置の小型、軽量化を図り、省エネルギに対しても適した天井埋込型空気調和機を得ることができる。
さらに、本発明によればメンテナンスがし易く、衛生面でも有利で、更新する場合にも美観を保持できる天井埋込型空気調和機を得ることができる。
【図面の簡単な説明】
【図１】  一実施の形態による吸い込みグリルが下降した状態を示す側断面図。
【図２】一実施の形態による吸い込みグリルの昇降機構の主要部を示す斜視図。
【図３】一実施の形態による吸い込みグリルの昇降機構の主要部を示す側断面図。
【図４】一実施の形態によるガイドローラ部を示す斜視図
【図５】他の実施の形態によるガイドローラ部の部分断面図。
【図６】  他の実施の形態によるガイドローラ部の部分平面図。
【符号の説明】
１…天井、２…ユニット本体、３…熱交換器、４…ドレンパン、５…送風機、６…ファンモータ、７…化粧パネル、８…吸い込み口、９…吹出し口、１０…吸い込みグリル、１０１、１０２…開口部、１１…フィルタ、１２…回転ドラム、１３…ワイヤ、１４…ガイド、２０…ガイドローラ、２１…モータ、２２…ガイドステー、２３…マイクロスイッチ。
【図１】
0003780121.tif 000002
【図２】
0003780121.tif 000003
【図３】
0003780121.tif 000004
【図４】
0003780121.tif 000005
【図５】
0003780121.tif 000006
【図６】
0003780121.tif 000007